(57)【要約】      （修正有）【課題】データセンタから暖気のパッシブ排気を可能にする。【解決手段】空気を建築物からパッシブに排気するシステム２００は、建築物の屋根上に配置された少なくとも一対のモジュール２０２ａ、２０２ｂを含む。各モジュールは、一側面に排気面２０６を、反対の側面に勾配面２０４を有し、建築物内部から上昇して流れる排気を受け入れる。モジュールは、互いに対向する対として配置され、いずれのモジュールの排気面にも影響を与えることなく、環境空気が一方のモジュールの勾配面の上方に流れ、他方のモジュールの勾配面の下方に流れるように、勾配面の１つが環境空気流の方向を向く。モジュール対はまた、建築物からより速い速度で排気を行うために、モジュールの付加的な対を伴って拡がることができるシステム内で横並びに配置される。【選択図】図２
2020053057.tif 000002
【特許請求の範囲】
【請求項１】
建築物と、前記建築物の上部の屋根と、
前記屋根を通るボイドと、
モジュールであって、
前記モジュールの第１の側面上において略垂直構成であり、排気口を有する排気面と、
前記モジュールの底部において略水平構成であり、前記建築物の前記屋根内の前記ボイドに位置整合するように構成された吸気口を備える吸気面と、
前記排気面と前記吸気面との間の導管であって、前記排気面に対向するとともに前記排気面及び前記吸気面に接続された、かつ前記吸気面から流入する空気を前記排気面に誘導するように構成された勾配面を備え、
暖気の排気流が前記ボイドを通じて、また前記モジュールを通じて、前記建築物外にパッシブに流出するように、前記モジュールが前記屋根の前記ボイドと流体連通している、
前記導管と、
を備える前記モジュールと、
を備えるシステム。
【請求項２】
前記モジュールの前記底部と接続された基盤アセンブリであって、水が前記建築物内に進入することを防止すると共に前記吸気口を前記ボイドと接続するように、前記モジュールの前記吸気面を前記建築物の前記屋根内の前記ボイドに位置整合させるように構成された前記基盤アセンブリをさらに備える、
請求項１に記載のシステム。
【請求項３】
前記導管が側壁をさらに含み、
前記モジュール内部にあり、前記勾配壁及び前記側壁と接続された集水器であって、前記勾配壁の内面または前記側壁の内面から流出する結露水を捕らえるように構成された前記集水器をさらに備える、
先行請求項のいずれか１項に記載のシステム。
【請求項４】
前記モジュールの前記排気面から突出するフードであって、前記排気面から離れるように下方に傾斜する勾配上面を有し、前記排気面に向かって流れる空気流を前記モジュールの上方に上向きに誘導するように構成されており、前記モジュール上に落ちる雨または塵を前記排気面から離れるように誘導するように構成された前記フードをさらに備える、
先行請求項のいずれか１項に記載のシステム。
【請求項５】
前記導管が側壁をさらに含み、
前記勾配壁の前記内面または前記側壁の内面と接続された断熱層であって、前記モジュール内の結露を防止するように構成された前記断熱層をさらに備える、
先行請求項のいずれか１項に記載のシステム。
【請求項６】
前記モジュールの前記排気面から突出する複数のフードであって、前記複数のフードのそれぞれのフードが、前記排気面から離れるように下方に傾斜した勾配上面であって、前記モジュール上に落ちる雨または塵を前記排気面から離れるように誘導するように構成された前記勾配上面を有し、前記複数のフードの上部フードが前記排気面に向かって流れる空気流を前記モジュールの上方に上向きに誘導するように構成された、前記複数のフードをさらに備える、
先行請求項のいずれか１項に記載のシステム。
【請求項７】
前記モジュールを含む複数の前記モジュールと、
前記ボイドを含む複数の前記ボイドであって、
前記ボイドが列をなして配置され、
列のうちの近接する列内のボイドに取り付けられた、前記モジュールのうちの第１のモジュール及び第２のモジュールが、互いに対向するそれぞれの排気面を有するように、前記モジュールのそれぞれが前記ボイドのそれぞれと流体連通している、前記複数の前記ボイドと、
をさらに備える、
先行請求項のいずれか１項に記載のシステム。
【請求項８】
前記複数のボイドが第１の列、第２の列、及び第３の列をなして配置され、
前記第３の列内の各モジュールが、前記第３の列内の前記モジュールのそれぞれの排気面が前記第１の列のそれぞれのモジュールの前記排気面に対向するように方向づけられている、
請求項７に記載のシステム。
【請求項９】
前記モジュールを含む複数の前記モジュールと、
前記ボイドを含む複数の前記ボイドであって、
前記ボイドが湾曲構成で配置され、
前記モジュールのそれぞれが前記ボイドのそれぞれと流体連通しており、
前記モジュールのそれぞれの排気面が前記湾曲構成の内部のほうを向くように、前記モジュールのそれぞれが方向づけられている、前記複数の前記ボイドと、
をさらに含む、
先行請求項のいずれか１項に記載のシステム。
【請求項１０】
前記建築物がデータセンタを備える、先行請求項のいずれか１項に記載のシステム。
【請求項１１】
第１のモジュール及び第２のモジュールを建築物の屋根と連結することであって、
前記モジュールの一側面上において略垂直構成であり、排気口を有する排気面と、
前記モジュールの底部において略水平構成であり、前記屋根内の複数のボイドのそれぞれのボイドに位置整合するように構成された吸気口を備える吸気面と、
前記排気面と前記吸気面との間の導管であって、前記排気面と対向すると共に前記排気面及び前記吸気面と接続された、かつ前記吸気面から前記排気面へ暖気流を誘導するように構成された勾配面を備える前記溝と、
を前記第１のモジュール及び前記第２のモジュールのそれぞれが備え、
前記第１のモジュールが前記屋根内の第１のボイドと位置整合するように、前記第１のモジュールが前記屋根に連結され、
前記第２のモジュールが前記屋根内の第２のボイドと位置整合するように、前記第２のモジュールが前記屋根に連結される、前記連結することを含む方法であって、
前記第１のモジュールの前記排気面が、前記第２のモジュールの前記排気面に対向し、かつ十分な第１の離隔距離によって前記第２のモジュールから離間していることによって、前記第１のモジュールから前記第２のモジュールへと前記第１のモジュール及び前記第２のモジュールを渡って流れる周囲空気流が、前記２つの排気面の間でベンチュリ効果を生み出して、前記第１のボイド及び前記第２のボイドを通じた、また前記第１のモジュール及び前記第２のモジュールを通じて前記建築物外への前記建築物からの前記暖気の引込みを促進する、
方法。
【請求項１２】
前記第１のモジュールを前記屋根と連結することが、前記第１のモジュールの前記排気面と対向する前記第１のモジュールの勾配面が外部空気流のほうを向くように、前記第１のモジュールを方向づけることをさらに含み、
前記第２のモジュールを前記屋根と連結することが、前記第２のモジュールの前記排気
面が前記第１のモジュールの前記排気面に対向するように、前記第２のモジュールを方向づけることをさらに含む、
請求項１１に記載の方法。
【請求項１３】
前記第１のモジュールと同じように方向づけられた第１の複数のモジュールであって、前記第１のモジュールに対して平行に横並びで配置された前記第１の複数のモジュールを前記屋根内の第１の複数のボイドと連結することと、
前記第２のモジュールと同じように方向づけられた第２の複数のモジュールであって、前記第２のモジュールに対して平行に横並びで配置された前記第２の複数のモジュールを前記屋根内の第２の複数のボイドと連結することと、
をさらに含む、
請求項１１または１２に記載の方法。
【請求項１４】
前記第１の複数のモジュールの隣接するモジュール間で第１の複数のパネルを連結することと、
前記第２の複数のモジュールの隣接するモジュール間で第２の複数のパネルを連結することと、をさらに含み、環境空気流からの空気流が前記第１の複数のモジュール及び前記第２の複数のモジュールからの前記暖気流の一部を巻き込むように、前記第１の複数のパネル及び前記第２の複数のパネルが、前記環境空気流からの前記空気流を前記第１の複数のモジュールに沿って前記第１の複数のモジュールの上方に、また、前記第２の複数のモジュールに沿って下方に誘導するように配置される、
請求項１３に記載の方法。
【請求項１５】
前記第１のボイドの周囲の前記屋根の隆起形状物である第１の枠及び、前記第２のボイドの周囲の前記屋根の隆起形状物である第２の枠を建設することをさらに含み、
前記第１のモジュールを前記屋根と連結することが、前記第１のモジュールの第１の基盤を前記第１の枠と連結することをさらに含み、
前記第２のモジュールを前記屋根と連結することが、前記第２のモジュールの第２の基盤を前記第２の枠と連結することをさらに含む、
請求項１１〜１４のいずれかに記載の方法。
【発明の詳細な説明】
【背景技術】
【０００１】
通常、データセンタは、コンピュータサーバの集合体、ならびに電力管理構成部材を含む、それらのサーバの管理、動作、及び接続性のための構成部材を含む。データセンタ構成部材は隔離されていても、構成部材の寿命を長くし、データセンタの円滑かつ連続的な動作を確実にするために事前の温度管理が重要になるような、十分な熱を発生させ得る。発熱する電子部品が共に配置される場合、累積的な発熱により、周囲温度が上昇し、個々の部品の温度管理上の問題を悪化させ得る。廃熱源を有する様々な構造はしばしば、ファン、送風機、空調システム及び他の電動機械システム等の構造の一部からの廃熱の除去を容易にするように構成された方法及び装置を含む。
【０００２】
本明細書において使用される、「データセンタ（ｄａｔａｃｅｎｔｅｒ）」は、コンピュータの動作が実行される任意の設備または設備の一部を含む。データセンタは、特定の機能（例えば、電子商取引、データベース管理）専用の、または複数の機能を供給する、サーバまたは他のシステムおよび構成部材を含んでもよい。コンピュータ動作の例は、情報処理、通信、シミュレーション及び動作制御を含む。
【０００３】
データセンタ等の建築物からの暖気の排気システムは、ファンを介して環境空気をデータセンタに押し込む、また、空気を押し込んで建築物外部に排気する等の方法を含む。こ
のようなシステムは一般的に、電力を消費し、熱を発生させて、データセンタのすでに多大な電力消費及び発熱を悪化させる。しかし、高温により多数のタイプの電子部品の寿命が大幅に短くなる事実によるこれらの欠陥にも関わらず、活動状態のデータセンタの冷却が一般的に利用される。最後に、廃熱システムは一般的に、データセンタを収容する建築物及び機能する電動機械システムの両方の修正を必要とするため、データセンタの建設またはこのような目的での建築物の改修に関連する多大な初期事業費を必要とする。
【０００４】
本開示に従った多様な実施形態を、図面を参照して説明する。
【図面の簡単な説明】
【０００５】
【図１】様々な実施形態による、暖気を建築物からパッシブに排気する第１の例示的なシステムを示す、概略側面図である。
【図２】様々な実施形態による、図１のパッシブ排気システムの要素を示す、概略側面図である。
【図３】様々な実施形態による、図１のパッシブ排気システム要素を示す、概略斜視図である。
【図４】様々な実施形態による、図１のパッシブ排気システムの要素のアレイを示す、斜視図である。
【図５】様々な実施形態による、暖気を建築物からパッシブに排気する別の例示的なシステムを示す、概略正面図である。
【図６】様々な実施形態による、図１及び図５に示すシステム等のパッシブ排気システムの要素の空気力学的態様を示す、斜視図である。
【図７】様々な実施形態による、図１に示すシステム等の建築物から暖気をパッシブに排気するモジュール式システムの組立システムを示す、斜視図である。
【図８】様々な実施形態による、暖気を建築物からパッシブに排気する第２の例示的なシステムを示す、概略側面図である。
【図９】暖気を建築物からパッシブに排気するシステムの要素の耐候性態様を示す、概略側面図である。
【図１０】パッシブ排気システムにおいて利用されるモジュールと屋根との間の接続を示す、概略側面図である。
【図１１】暖気を建築物からパッシブに排気するシステムの組立の例示的なプロセスを示す。
【図１２】暖気を建築物からパッシブに排気するシステムの変更の例示的なプロセスを示す。
【図１３】様々な実施形態による、暖気を建築物からパッシブに排気する別の例示的なシステムを示す、概略上面図である。
【図１４】様々な実施形態による、暖気を建築物からパッシブに排気する別の例示的なシステムを示す、概略上面図である。
【発明を実施するための形態】
【０００６】
以下の説明では多様な実施形態が説明される。説明の目的のため、特定の構成及び詳細が実施形態の完全な理解を提供するために記載される。しかしながら、本実施形態が特定の詳細なしに実施され得ることも当業者に明らかとなるだろう。さらに、周知の特徴は、説明されている実施形態を不明瞭にしないために省略または簡略化され得る。
【０００７】
本明細書に記載の技術は、暖気のデータセンタからのパッシブ排気を可能にするパッシブシステム及び装置を含む。本明細書に記載の少なくとも一部の実施形態は特に、効率的かつ建設費用が安価な陸屋根建築物を対象とする。非平坦屋根（例えば、勾配屋根、湾曲屋根）を有する建築物に、さらなる実施形態を利用することができる。例示的に、また、以下に詳述するように、データセンタは多大な熱量を発生させ、この熱は、環境から冷気
流を取り込み、データセンタからの熱気流を排気することによって除去することができる。そのために、データセンタは、データセンタを含む建築物の平坦な屋上面においてボイドを切断し、ボイドに排気モジュールのアレイを設置することによってこの空気流をパッシブに排気するように、改変することができる。一般に、本明細書において使用される、「ｐａｓｓｉｖｅｌｙ（パッシブに）」排気するとは、ボイドにおいて、またはその近くで空気移動機器（例えば、ファン、送風機、空調システム及び他の電動機械システム）を利用することなく、ボイドを通じて空気を移動させることを指す。アレイの各モジュールは、吸気面を通じて建築物から上向きに流動する排気空気流を受け、横向きの排気面から空気流を排気するように構成することができる。吸気面は屋根と接続することができる。排気面は、モジュールが横向きに排気を行うように、各モジュールの側面に位置することができ、各モジュールの上部の閉曲面は、吸気口から排気口へとモジュール内の空気流を誘導することができる。閉曲面はまた、閉曲面の低い側から高い側へと傾斜するように、モジュールの上方に外部空気流を誘導することができる。
【０００８】
さらなる例として、各モジュールは、第２のモジュールと対をなすことができ、各対の２つのモジュールは互いに向き合う（例えば、排気面が互いに向き合う）。この構成において、排気面に垂直な軸に沿って通過する外部空気流は、モジュールの１つが有する閉曲面に沿って上昇して通過し、モジュールから出る上昇排気を巻き込みながらモジュール間の中間スペースを通過して、その後、第２のモジュールの閉曲面に沿って下降して通過することができる。この構成により、外部空気流がいずれかのモジュールの排気面に直接影響を与える可能性を大幅に低減することができ、それによって、排気システム内での逆流の可能性を大幅に低減することができる。この構成はまた、データセンタを含む建築物から排気流をさらに引き込む低圧領域を生成するために、ベルヌーイの定理を生産的に利用してもよい。いくつかの実施形態においては、この効果をより良く利用するために、卓越風の方向に垂直な線に沿って延伸することができる平行なモジュール対からなるアレイに、対構成を拡大することができる。卓越風の方向に対する他の向きもまた、利用することができる。
【０００９】
したがって、明細書及び図面は、限定的な意味ではなく例示的な意味で考えられるべきである。しかしながら、特許請求の範囲で説明される本開示のより広範な趣旨及び範囲から逸脱することなく、多様な修正形態及び変形形態が本明細書に加えられ得ることは明らかである。
【００１０】
図１は、様々な実施形態による、建築物１０２のパッシブ排気システム１００の例を示す。いくつかの実施形態において、建築物１０２は、データセンタまたは、対流冷却を必要とする多大な熱量を発生させる他の任意の設備とすることが可能である。様々な実施形態において、建築物１０２は環境から第１の空気流１０６を受け入れる。場合によっては、図１の建築物１０２の右側に示す吸気領域において、空気流１０６を受け入れることができる。特定の実施形態においては、換気システムを介して空気１０６を進路変更させることができる。例えば、吸気口１１０と接続した第１の吸気領域１２２は、換気システム１１２を介して空気流１０６を建築物１０２の囲い部１１６に進路変更させる。いくつかの他の実施形態において、空気１０６は建築物内にパッシブに流入することができる。例えば、建築物１０２は、第２の吸気領域１２４において、第１の空気流１０６を受け入れることができ、それによって空気流１０６を建築物内に直接取り入れる。代替的実施形態では、建築物１０２において、建築物１０２の側面にある、または建築物１０２の下にある、または建築物外部からのダクトを介した任意の好適な吸気口を介して、周囲の冷気を受け入れることができる。いずれにしても、第１の空気流１０６は建築物１０２に流入し、様々なデータセンタ構成部材ならびに、サーバ、ネットワークハードウェア、スイッチングハードウェア、ロジスティクスハードウェア及び機器、または建築物１０２内の他の好適な発熱機器といった他の電子もしくは機械装置等の建築物内の構成部材から廃熱を取
り込むことができる内部空気流１２０を提供する。いくつかの実施形態において、建築物１０２は、「ホットアイル（ｈｏｔ  ａｉｓｌｅ）」等の、特に廃熱が冷領域から排気囲いへと一方向に流れる場合に、発熱する構成部材を通って、または通過して廃熱を取り込むように構成された、構造１０２の残りの部分よりも高温である囲い部１１６を含むことができる。囲い部１１６は、いくつかの実施形態において、例えば、ダクト（図示せず）を介して、建築物１０２の屋根１０４内のボイド１３２へと誘導することができる、多大な暖気流１１８を生成してもよい。代替的実施形態では、暖排気を冷気から分離し、暖排気を上部に誘導するために、ダクト、仕切り、ホット及びコールドアイル、ならびに類似の特徴等の様々な建築物１０２の内部の付加的な特徴（図示せず）を利用してもよい。
【００１１】
様々な実施形態において、建築物１０２は、暖排気流１２６を屋根１０４内のボイド１３２を介して建築物から排気することができる。パッシブ排気アレイ２００は、排気流１２６を受け入れ、矢印１２８で示すように横向きに排気を行い、建築物１０２を迂回する第２の環境空気流１０８内に進路変更させた排気流を巻き込むために、ボイド１３２と接続することができる。いくつかの実施形態において、以下により詳細に記載するように（図２を参照）、第２の環境空気流１０８は、排気アレイ２００の楔状部を上昇し、排気アレイを越え、アレイの反対側を下降しながら、建築物の屋根１０４上を通過する。パッシブ排気アレイ２００はこのようにして、ベンチュリ効果を生み出し、パッシブ排気アレイ２００内から空気をさらに引き込む。さらに、第２の環境空気流１０８を進路変更させることで、排気アレイ２００はベルヌーイの定理を利用するために、パッシブ排気アレイ２００上の気圧を局所的に低減して、局所的に空気流１０８の速度を増大させることができる。
【００１２】
図２は、様々な実施形態による、図１のパッシブ排気システム２００の要素をより詳細に示す。パッシブ排気システム２００は、少なくとも一対のモジュール２０２ａ、２０２ｂ（総称して２０２）を含む。モジュール２０２ａ及び２０２ｂは、いくつかの実施形態において同一とすることができるが、他の様々な実施形態においては、対称または相似とすることができる。排気モジュール２０２は、屋根１０４内のボイド１３２を通じて排気流を受け入れるように構成することができ、排気面２０６を通じて排気流を排気することができる。例えば特定の実施形態において、モジュール２０２は、勾配面２０４、排気流を排気するために開口することができる排気面２０６、及び、屋根内のボイド１３２から排気流を受け入れるためのモジュールの底部の吸気面２０８を含むことができる。場合によっては、建築物に組み込まれてもよいか、または追加されてもよい、ボイド１３２の周囲の屋根の表面に立設された枠１３４に、モジュール２０２を設置することができる。枠１３２は建物の建築物材（例えば、セメント、鋼、アルミニウム、高強度ポリマー）等の任意の好適な材料とすることができ、屋根１０４にボルト接合するか、同様に取り付けられてもよい。場合によっては、枠１３４は例えば、屋根１０４に垂直に取り付けられた（例えば、ボルト接合された）鋼製のＣ溝型梁とすることができる。場合によっては、枠１３４は、モルタル、ラバーガスケット、カシメあるいは、防水機能を提供する他の建築物または材料等の防水機構を含むことができる。吸気面２０８はボイド１３２から離れるように水を誘導するために、付加的なＣ溝型及び１つまたは複数のＺ型梁等の、付加的な接続機構を含むことができ、（高い側で）モジュール２０２の内部に接続し、モジュール２０２から離れるように枠１３４上に突出して枠１３４の一部に張り出す、１つまたは複数のＺ型梁を含む可能性がある。
【００１３】
いくつかの実施形態では、モジュール２０２は、埃または水の排気面２０６からの侵入を防止するための１つまたは複数の機構を含むことができる。例えばモジュール２０２は、モジュール２０２の内部に、排気面２０６に渡って（図示せず）、吸気面２０８に渡って（図示せず）、または両方の組み合せで位置する粗いフィルタとすることができるフィルタ２１０を含むことができる。実施形態において、モジュール２０２は、排気面２０６
から離れるように伸張し、モジュールから離れるように下方に傾斜するフード２１２を含むことができ、場合によっては、モジュール２０２は複数のフードを含むことができる。いずれにしても、最上部のフード２０６は、排気面２０６の上部に直面する空気流が、最上部のフード２０６によってモジュール２０２の上部に、そしてモジュール２０２の上方に誘導されるように、排気面２０６の上部から突出することができる。いずれかまたは全てのフード２０６はまた、雨及び／または塵から排気面２０６を遮蔽するように働くことができる。
【００１４】
いくつかの実施形態では、モジュール２０２は、排気流を変化させるための要素を含むことができる。例えばモジュール２０２はまた、アクティブバッフル及び／またはパッシブなバッフルを含むことができるバッフルアセンブリ２１４を含むことができる。いくつかの実施形態において、バッフルアセンブリ２１４は、建設工事時または暴風雨等の、逆流または塵を助長する可能性がある出来事の際に望ましい場合があるように、空気流を遮るために手動でロックすることができる。いくつかの実施形態において、バッフルアセンブリ２１４は、排気流の方向がモジュール２０２に流入するように変化する場合、閉鎖時に空気流がモジュール２０２から出るように促進するように、例えば釣合い重りまたはバネを介して、釣合いのとれたバッフルを含んでもよい。
【００１５】
いくつかの実施形態では、モジュール２０２はまた、水の侵入を低減し、及び／または結露水を低減するための特徴を有することができる。例えばモジュール２０２は、例えば吸気面２０８付近のモジュール２０２の内表面と接続される１つまたは複数の溝及び／または集水器を含むことができる集水アセンブリ２１６を含むことができる。集水アセンブリ２１６は、結露水が制御されないままボイド１３２を通じて滴下することを防止するために、内表面に沿って結露水の流れを受け、パイプまたは第２の溝等の出口に流れを誘導することができる。いくつかの実施形態において、モジュール２０２はまた、内表面の一部または全部に沿った断熱材の表層及び／または付加層等の断熱層３２０を含むことができる（図３を参照）。断熱層は、暖排気をモジュール２０２のより低温の表面から遮断することによって、結露水がモジュール２０２の内部に形成されることを防止するよう働いてもよい。さらなる実施形態において、モジュール２０２はまた、モジュール２０２の表面において、アクセスハッチ２１８等のアクセス手段を含むことができる。場合によっては、アクセスハッチ２１８はモジュール２０２の側面に置くことができるが、代替的実施形態において、アクセスハッチは例えば、ヒンジ付けされたアセンブリ上で振り出すことが可能な排気面２０６の一部または全部を含むことができる。いずれにしても、アクセスハッチはまた、不正なアクセスに対してロックされるか、保護されるよう配置することができる。
【００１６】
図３は、いくつかの実施形態による、図１のシステム等のパッシブ排気システムへの利用のために構成された別の例のモジュール３０２示す、概略斜視図である。モジュール３０２は、空気流をモジュールの上方に誘導するための勾配面３０４を含むことができる。様々な実施形態において、勾配面３０４はまた、例えば吸気面３０８から排気面３０６への弧に沿って、湾曲することができる。いくつかの代替的実施形態において、モジュール３０２は、吸気面３０８から排気面３０８への略曲面状または弓なり状とすることができる。
【００１７】
さらなる実施形態において、モジュール３０２は、空気流を排気面３０６に対して誘導するための要素を含むことができる。例えば、モジュール３０２は、周囲空気流をモジュール３０２の上方に誘導するための空気力学的構造として働くことができる単一のフード３１２を含むことができる。空気流が勾配面３０４からモジュール３０２の上方に至る際に、フード３１２は渦形成を低減して、排気面３０６内への逆流の可能性を低減することができる。空気流が例えば、第２のモジュール（図示せず）の上部から排気面３０６に向
かう際に、フード３１２は空気流をモジュール３０２の上方に再誘導することができる。
【００１８】
いくつかの実施形態において、モジュール３０２はまた、結露水、天候及び塵からモジュールの内部を保護するための要素を含むことができる。例えば、モジュール３０２は、塵及び／または水をモジュール３０２の内部から離して誘導するために、排気面から離れる方向に下方に傾斜することができるパッシブバッフル３１４を含むことができる。フィルタ要素３１０はまた、埃または水滴等の塵がモジュール３０２内に進入することを防止するために、排気面３０６の近位に配置することができる。いくつかの実施形態によると、結露水集水器３１６がモジュール３０２の内周周辺に示され、断熱層３２０がモジュール３０２の内面に当接して示される。いくつかの代替的実施形態において、モジュール３０２の内部部品には、アクセスハッチ３１８を介してアクセスすることができる。吸気面３０８は、屋根１０４の枠１３４と接続される。
【００１９】
いくつかの実施形態において、有効に迅速なパッシブ排気を可能にするために、排気モジュール３０２の様々な特定の寸法が可能である。例えば、いくつかの特定の実施形態において、排気モジュールの寸法を、排気面においておよそ幅１０フィート（寸法３２２）及び高さ１０フィート（寸法３２４）とすることができ、勾配面３０４は長さ約１５フィート（寸法３２６）後ろに伸張することができる。モジュールの大きさの広範な範囲内で、他の様々な寸法が可能である。例えば、排気面３０６については、幅及び高さ３２２、３２４が数フィートから２０フィート以上に変化してもよく、同様に、長さ３２６が数フィートから３０フィート以上に変化することができる。
【００２０】
図４は、いくつかの実施形態による、図１のパッシブ排気システムの要素のモジュール対２００のアレイ４００を示す、斜視図である。特定の実施形態において、アレイ４００は、例えばデータセンタを含む建物等の建築物の屋根といった屋根１０４上に位置するモジュール２０２または３０２（図２〜３）等のモジュールの複数の対（２００ａ、２００ｂ、２００ｃ、または総称して２００）を含むことができる。アレイのモジュール対２００は、周囲空気流と相互作用するよう配置することができる。例えば、モジュール対２００は、アレイ４００の第１の軸４０４と平行に配置することができ、場合によっては、第１の軸４０４は環境空気流または卓越風等の周囲空気流の方向に整合させることができ、第１の軸４０４に垂直とすることができる第２の軸４０８は、アレイ４００の長尺寸法に整合させることができる。場合によっては、第２の軸４０８は、例えば卓越風に対して角度をなす屋根１０４を収容するためにモジュール対２００が第１の軸とそれぞれ平行でありながら互いにずれるように、第１の軸４０４に対して角度をなしてもよい。様々な実施形態において、モジュール対２００は、技術者４０２がモジュール対２００の各モジュールにアクセスできるように、離間している。
【００２１】
図５は、いくつかの実施形態による、図１の例示的なシステム１００と類似した第２の例のパッシブ排気システム５００を示す、概略正面図である。例示的なシステム５００は、図１の例示的なシステム１００と同様に、屋根１０４及び吸気口１２２、１２４を含む。いくつかの実施形態において、モジュール２００ａ、２００ｂ、２００ｃ（総称して２００）のアレイ４００は、屋根１０４の縁とアレイ４００との間に間隔５０２を設けて屋根１０４上に配置することができる。いくつかの実施形態において、アレイ４００においてモジュール２００間に散在し、環境空気流をアレイ４００の上方に誘導するためにパネル５０４を配置することができる。いくつかの代替的実施形態において、モジュール２００は互いに当接して組立てることができ、介在するパネルを含んでも含まなくてもよい。
【００２２】
図６は、特定の実施形態による、図１及び図５に示すシステム１００及び５００等のパッシブ排気システムの接続されたモジュールアセンブリ６００ａ、６００ｂ（総称して６００）の空気力学的態様を示す、斜視図である。２つのモジュール６０２ａ、６０２ｂ（
総称して６０２）は、空気をモジュールアセンブリ６００の上方に誘導するためにモジュール間に配置されたパネルアセンブリ５０４ａ、５０４ｂと平行に配置することができる。例えばモジュールアセンブリ６００ａは、モジュール６０２ａ、６０２ｂのそれぞれと部分的に重なり合って接続された略直線状のパネルアセンブリ５０４ａを含む。いくつかの実施形態において、モジュールアセンブリは成形することができる。例えば、モジュールアセンブリ６００ｂは、モジュール６０２ａ、６０２ｂのそれぞれと部分的に重なり合って接続されて、モジュールを部分的に覆う、屈曲または湾曲したパネル５０４ｂを含む。実施形態において、アレイ内のモジュール等の隣接するモジュール間で他の様々なカバー範囲が可能である。
【００２３】
図７は、実施形態による、建築物から暖気を排気するモジュール式パッシブ排気システムを組み立てるためのシステム７００を示す、斜視図である。システム７００において、データセンタを含む建物等の建築物１０２は、冷気を環境（例えば、吸気口１２２、１２４）から引き込み、熱気を（例えば、排気モジュール２００を介して）環境に戻して排気するように構成される。例えば建築物は、吸気口１２２、１２４、屋根１０４及び屋根１３４内のボイド１３２を含むことができる。場合によっては、ボイド１３２は、当初の建設工事時に建築物に組み込むことができ、利用前に覆われてもよい。場合によっては、ボイド１３２は、建築物１０２におけるデータセンタのロールアウトに近い時点など、屋根１０４が組み立てられた後の時点で形成することができる。いくつかの実施形態において、枠１３４はまた、ボイド１３２の周囲に形成し、パッシブ排気アレイ４００のモジュール２００のための接続面を提供し、屋根１０４から建築物１０２内への水または塵の侵入を防止するように構成することができる。いくつかの実施形態において、モジュール２００は、屋根１０４との接続の前に組み立てられ、その後、各モジュール２００の吸気面２０８が（例えば、ボルトまたはねじを介して）屋根１０４の枠１３４と接続するように、枠１３４上に降下させることができる。いくつかの実施形態において、モジュール２００が枠１３４と接続する場合に付加的な防水機構が提供されてもよい。アレイ４００は、一度に組み立てるか、または、建築物１０２から暖気を排気する必要性が時間の経過と共に、例えばさらなる発熱構成部材が建築物１０２の追加と共に変化するにつれて徐々に、屋根１０４上に組み立てることができる。
【００２４】
図８は、実施形態による、平坦屋根部８０４及び勾配屋根部８０６の両方を有する建築物８０２から暖気をパッシブに排気する別の例示的なシステム８００を示す、概略側面図である。建築物８０２は、データセンタを含むことができるか、または、対流冷却を必要とする多大な熱量を発生させる他の任意の設備を含むことができる。いくつかの実施形態において、システム８００は、吸気穴８２２、８２４、吸気要素８１０等の内部空気流管理構造、平坦屋根部１０４、及び勾配屋根部８０６を有する建築物８０２を含む。多くの実施形態において、熱気８１８は、内部空気流管理構造から立ち昇ることができ、内部空気流８２６が建築物８０２から平坦屋根部８０４内のボイド８３２を介して出るように、勾配屋根部８０６によって誘導され、平坦屋根部１０４に向かって集められることができる内部空気流８２６に合流することができる。図１に示すシステム１００と同様に、内部空気流８２６は、排気モジュール２００を通じて８２８に進路変更させることができ、排気空気流８３０が建築物８０２を出る際に外部空気流８０８によって排気空気流８３０として巻き込むことができる。
【００２５】
図９は、異なる実施形態による、システム１００、５００、または８００（図１、５、８）等の建築物から暖気をパッシブに排気するシステムにおいて利用するための、耐候性態様を有するモジュール９００を示す、概略側面図である。モジュール９００は、勾配面９０４及び排気面９０６を含むことができる。いくつかの実施形態において、一連のバッフル９１０は、排気面９０６内に吹き込まれ得る塵または水を捕らえるために、排気面９０６と接続することができる。いくつかの実施形態において、バッフル９１０は排気面９
０６から離れて下方に傾斜することができ、バッフル９１０の上部及び下部において垂直部９０８、９１２をさらに含むことができる。いくつかの実施形態において、１つまたは複数のフード９１４はまた、各フードの上面９１６が水を排気面からそらすことができるように、排気面９０６と共に組み立てられて外側及び下方に突出することができる。
【００２６】
図１０は、様々な実施形態による、屋根１０４を有するパッシブ排気システムにおいて利用するための排気モジュール１００２を接続するための例示的なシステム１０００を示す、概略側面図である。いくつかの実施形態において、システム１０００は、枠１３４を介して排気モジュール１００２を屋根１０４と接続し、モジュール１００２の内部への水の侵入を防止するように構成される。いくつかの実施形態において、枠１３４は、例えばねじ、ボルト、モルタルもしくはカシメ、セメント及び／または他の好適な接続手段等のコネクタを介して屋根１０４に設置することができる。場合によっては、枠１３４はＣ型構造梁とすることができ、屋根にボルト接合されることに加えて、カシメ、セメントまたはガスケットを利用した水密シールを介する等、上記接続手段の任意の好適な組み合わせを介して屋根１０４と接続することができる。いくつかの実施形態において、排気モジュール１００２の吸気面１００８は、例えば内部構造梁１０２８を介して内部で支持することができ、構造的垂直部１０２２を含むことができる外部構造梁１０２２と、枠１３４と外部構造梁１０２２との間の水の侵入を防止するための張り出し部１０２４とを介して、枠において支持することができる。いくつかの実施形態において、排気モジュール１００２と外部構造梁１０２２との間の接続部は、排気モジュール１０２２と外部構造梁１０２２との間の水の侵入を防止するために外部構造梁１０２２に張り出す中間Ｚ型梁１０２６を含むことができる。様々な代替的実施形態では、上記構成部材の異なる構成が可能であってもよい。例えば、排気モジュール１００２は、Ｚ型梁１０２６が枠１３４に張り出すように、介在する外部構造梁１０２２なしに枠１３４と共に組み立てられてもよい。
【００２７】
図１１は、実施形態による、暖気を建築物からパッシブに排気するシステムの組立の例示的なプロセス１１００を示す。例示的なプロセス１１００に示されるステップは、例えば図７のシステム７００に示すように、パッシブ排気システムを建築物の屋根に組み付けるためのシステムに従って実施することができる。いくつかの実施形態において、建築物に必要な排気速度は、例えば、データセンタの発熱構成部材による等して、建築物内の発熱速度を判断することで、判断することができる（行程１１０２）。所望の排気速度を実現するために必要な排気モジュールの数は、例えば、最大及び最小風速及び方向、建築物周囲の気温ならびに建築物の対流特性及び内部形態等の建築物の周囲の環境空気流の評価属性を含んでもよい、モデリング及び／または実験データに基づいて判断することができる（行程１１０４）。次に、一連のボイドは、排気モジュールの所望の数に基づいて、建築物の屋根内で開放することができる（行程１１０６）。場合によっては、ボイドは、予測される必要性に基づいて、建築物の屋根内に予め設置されてもよく、利用前に覆われてもよい。場合によっては、ボイドは卓越風等の環境空気流の方向と一致してもよい。また、場合によっては、ボイドは、環境空気流と一致する方向とは異なる方向に延伸する２つの列と一致してもよい。いくつかの実施形態では、ボイドは２つ以上の列と一致してもよい。次に、枠アセンブリは、各ボイドと接続するか、その周囲に置くことができ（行程１１０８）、排気モジュールを受けるように構成することができる。いくつかの実施形態において、排気モジュールは枠を含むか、または、排気モジュールは、介在する枠なしに屋根に直接設置されてもよい。次に、各排気モジュールは、排気モジュールのアレイを形成するために、設置された枠アセンブリのうちの枠アセンブリと接続することができる（行程１１１０）か、または、一連のボイドと接続することができる。いくつかの実施形態において、排気モジュールは、枠アセンブリに組み付けられる前に組み立てることができるか、または、同じプロセスにおいて相互に、また枠アセンブリに組み付けられることができる一連の部品として事前に組み立てることができる。いくつかの実施形態において、排気モジュールは、完全に組み立てられた、ほとんど組み立てられた、または部分的に組み
立てられた状態で、外部で事前に組み立てられて建築物に搬送することができる。
【００２８】
付加的な特徴を、排気モジュールの組み立てられたアレイに追加することができる。例えば、排気フードアセンブリは、各排気モジュールと接続することができ（行程１１１２）、パネルアセンブリは、アセンブリの各列における隣接する各排気モジュール対の間で接続することができる（行程１１１４）。さらに、いくつかの実施形態において、パッシブ排気システムの特徴をすでに有している建築物は、付加的な排気モジュールを含むように変更することができる。
【００２９】
図１２は、暖気を建築物からパッシブに排気するシステムの変更の例示的なプロセスを示す。例示的なプロセス１１００に示されるステップは、例えば図７のシステム７００に示すように、パッシブ排気システムを建築物の屋根に組み付けるためのシステムに従って実施することができる。例えば、実施形態において、データセンタ等の建築物に必要な変更された排気速度は、例えば、既知の、または予測される、建築物の内部の冷却に必要な空気のスループットの増大に基づいて、判断することができる（行程１２０２）。例えば、データセンタが付加的な構成部材を含むように拡張される際、または既存のデータセンタが電動排気の利用を低減させ、パッシブ排気の利用を増大するように改修される際の前後に、必要性が増大してもよい。目標排気速度を実現するために必要な付加的な排気モジュールの数は、行程１１０４において上述のように判断することができ（図１１）（行程１２０４）、その後、ボイドまたは付加的なボイドのセットは、既存の排気モジュールまたは既存の排気モジュールのアレイに対して平行な、外部空気流の方向に一致する可能性があるボイドの設置を含むことができる建築物の屋根内で開放することができる（行程１２０６）。次に、枠アセンブリは、排気モジュールを受けると共に排気モジュールと接続するように構成された各付加的なボイドと接続することができる（行程１２０８）。排気モジュールは、各枠アセンブリと接続することができるか、または、排気モジュールを屋根と直接接続することができる場合に、各付加的なボイドにおいて屋根と接続することができる（行程１２１０）。上述の通り、付加的な特徴を組み立てられた排気モジュールに追加することができる。例えば、排気フードアセンブリは、各排気モジュールと接続することができ（行程１２１２）、パネルアセンブリは隣接する排気モジュール対の間で接続することができる（行程１２１４）。
【００３０】
モジュール方式の排気モジュールは、上述のパッシブ排気システムのデータセンタ等の建築物への迅速な利用を可能にし、建築またはその内装工事に多大な影響を与えることなく、建築物に組み付けることができる。したがって、排気モジュールのアレイは建築物において、それらの建築物における発熱構成部材の利用の直前に建築することができ、それによって新規建物の建設時の初期費用が低減され、排気モジュールは多数の既存の建築物に組み付けられ、このようにして、高い排気の必要性に適応するための建物の改修費用を低減することができる。さらに、排気モジュールは、任意の好適な数のアレイとして設置することができ、例えば、複数の列をなす排気モジュールは、十分な空間を有する屋根上に設置することができる。
【００３１】
例えば、図１３は、いくつかの実施形態による、建築物１０２の屋根１０４上に配列された複数の列１３０２、１３０４ａ、１３０４ｂをなすモジュール２０２を有する、例としてのパッシブ排気システム１３００を示す、概略上面図である。システム１３００において、平坦屋根１０４を有する建築物１０２は、その上に第１の列１３０２をなすモジュール２０２を取り付けておくことができる。第１の列１３０２の各モジュールは、同じ方向を向くことができる。例えば、第１の列の各モジュール２０２は、モジュールの排気面２０６が第１の軸４０４に整合するように、方向づけることができる。いくつかの実施形態において、付加的な列１３０４ａ、１３０４ｂをなすモジュール２０２はまた、第１の軸４０４に整合しながらも第１の列１３０２と反対方向を向いて屋根上に配置されてもよ
い。例えば、付加的な列１３０４ａ、１３０４ｂのモジュール２０２は、排気面２０６が第１の列１３０２のモジュールの排気面と対向し合うように方向づけられてもよい。任意の数の列が、付加的な列１３０４ａ、１３０４ｂと同様に、（例えば、複数の隣接する列をなすモジュールが同じ向きをなして）鋸歯構成で互いに平行に、かつ同じ向きをなして配列されてもよい。場合によっては、第１の列１３０２及び付加的な列１３０４ａ、１３０４ｂが第２の軸４０８に沿って配列されて伸張してもよい。第１の軸４０４は、外部の風の流れの方向と平行に、または、外部の風の流れに対して別の方向に整合させてもよい。いくつかの実施形態において、モジュールのさらなる付加的な列が任意の好適な数で提供され、平行に、かつ第１の列１３０２及び付加的な列１３０４ａ、１３０４ｂのいずれかと同じ向きに配列されてもよい。列は、第１の列１３０２におけるモジュール２０２の排気面２０６が卓越風の方向を向くように、環境に対して整列してもよい。場合によっては、付加的な列１３０４ａ、１３０４ｂは、付加的な列１３０４ａ、１３０４ｂにおけるモジュール２０２の排気面２０６が卓越風の方向を向くように、整列してもよい。
【００３２】
図１４は、実施形態による、建築物１０２の屋根１０４上に配列された湾曲アレイ１４０２をなすモジュール２０２を有する、代替的実施形態の例としてのパッシブ排気システム１４００を示す、概略上面図である。システム１４００において、湾曲アレイ１４０２は、屋根１０４上の点１４０６を中心としてもよい。湾曲アレイ１４０２は、円形、または略円形の経路１４０８に沿って配置されてもよい。場合によっては、経路１４０８は、閉じた経路を画定する変化する弧の複数の湾曲部分に配置することができる。いくつかの場合において、経路１４０８は、複数の直線または湾曲部によって画定されてもよい。場合によっては、経路１４０８は、１つまたは複数の側面において開放されていてもよい。実施形態によると、モジュール２０２は経路１４０８に沿って配列され、屋根１０４に、当該屋根内のボイド（図示せず）を介して接続されてもよい。モジュール２０２は、各モジュール２０２の排気面２０６が経路１４０８の内部か、またはアレイ１４０２の中心点１４０６のほうを向くように方向づけられてもよい。いくつかの実施形態において、パネル１４０４は、そうでなければモジュール間を流れる空気流をモジュール上に誘導するために、アレイ１４０２のモジュール２０２と接続されてもよい。場合によっては、付加的な経路は、環状の第２のアレイをなして付加的なモジュールを接続するために、アレイ１４０２の外部に配置されてもよい。
【００３３】
本開示の実施形態は、以下の条項を鑑みて説明できる。
【００３４】
条項１．
建築物と、
平坦部を備える前記建築物上の屋根と、
前記平坦部を通る複数のボイドであって、前記建築物内の暖気が前記複数のボイドに流入するように位置する、前記複数のボイドと、
前記平坦部に取り付けられており、前記建築物外の外部環境にさらされた第１のモジュール及び第２のモジュールであって、
前記モジュールの一側面上において略垂直構成であり、排気口を有する排気面と、
前記モジュールの底部において略水平構成であり、前記複数のボイドのそれぞれのボイドに位置整合しており、前記ボイドと流体連通した吸気口を備える吸気面と、
前記排気面と対向すると共に前記排気面及び前記吸気面と接続された勾配面であって、前記吸気面から流入する空気を前記排気面に誘導するように構成された前記勾配面と、を備える、前記排気面と前記吸気面との間の導管と、を備える、前記第１のモジュール及び前記第２のモジュールと、を備え、
前記第１のモジュールの前記排気面が、前記第２のモジュールの前記排気面に対向し、かつ十分な第１の離隔距離によって前記第２のモジュールから離間していることによって、前記第１のモジュールから前記第２のモジュールへと前記第１のモジュール及び前記第
２のモジュールを渡って流れる周囲空気が、前記２つの排気面の間でベンチュリ効果を生み出して、前記第１のボイド及び前記第２のボイドを通じた、また前記第１のモジュール及び前記第２のモジュールを通じて前記建築物外への前記建築物からの前記暖気の引込みを促進する、
システム。
【００３５】
条項２.
前記第１のモジュール及び前記第２のモジュールが、アレイをなすモジュールを形成するように軸に沿って平行に配置された、前記平坦部上に取り付けられた複数の対向するモジュール対のうちの一対のモジュールであり、各モジュールが前記複数のボイドの異なるボイドと流体連通して配置されている、条項１に記載のシステム。
【００３６】
条項３．
前記建築物がデータセンタを備え、
前記アレイ内の各モジュールの大きさが、前記データセンタ内で生成される熱量を排気するのに必要な空気のスループット率に基づく、条項２に記載のシステム。
【００３７】
条項４．
前記建築物がデータセンタを備え、
前記アレイ内のモジュールの数が、前記データセンタ内で生成される熱量を排気するのに必要な空気のスループット率に基づく、条項２または３に記載のシステム。
【００３８】
条項５．
空気の十字流が前記アレイ内の各モジュール対の間の空間内に低圧領域を生成して前記低圧領域が前記データセンタからの排気速度を加速するように、前記軸が前記空気の十字流に垂直に方向づけられる、条項２〜４のいずれか１項に記載のシステム。
【００３９】
条項６．
前記建築物が、パッシブ吸気口であって、前記空気の十字流が前記パッシブ吸気口において高圧領域を生成するように、前記空気の十字流の方向を向く吸気穴を前記建築物の一側面上に含む前記パッシブ吸気口をさらに備える、条項５に記載のシステム。
【００４０】
条項７．
建築物と、
前記建築物の上部の屋根と、
前記屋根を通るボイドと、
モジュールであって、
前記モジュールの第１の側面上において略垂直構成であり、排気口を有する排気面と、
前記モジュールの底部において略水平構成であり、前記建築物の前記屋根内の前記ボイドに位置整合するように構成された吸気口を備える吸気面と、
前記排気面と前記吸気面との間の導管であって、前記排気面と対向すると共に前記排気面及び前記吸気面と接続された勾配面であって、前記吸気面から流入する空気を前記排気面に誘導するように構成された前記勾配面を備え、
前記モジュールが、暖気の排気流が前記ボイドを通じて、また前記モジュールを通じて、前記建築物外にパッシブに流出するように前記屋根のボイドと流体連通している、
前記導管と、
を備える前記モジュールと、
を備えるシステム。
【００４１】
条項８．
前記モジュールの前記底部と接続された基盤アセンブリであって、水が前記建築物内に進入することを防止し、前記吸気口を前記ボイドと接続するように、前記モジュールの前記吸気面を前記建築物の前記屋根内の前記ボイドと位置整合させるように構成された前記基盤アセンブリをさらに備える、
条項７に記載のシステム。
【００４２】
条項９．
前記導管が側壁をさらに備え、
前記モジュール内部にあり、前記勾配壁及び前記側壁と接続された集水器であって、前記勾配壁の内面または前記側壁の内面から流出する結露水を捕らえるように構成された前記集水器をさらに備える、
条項７または８に記載のシステム。
【００４３】
条項１０．
前記モジュールの前記排気面から突出するフードであって、
前記排気面から離れるように下方に傾斜する勾配上面を有し、前記排気面に向かって流れる空気流を前記モジュールの上方に上向きに誘導するように構成されており、前記モジュール上に落ちる雨または塵を前記排気面から離れるように誘導するように構成された前記フードをさらに備える、
条項７〜９に記載のシステム。
【００４４】
条項１１．
前記導管が側壁をさらに備え、
前記勾配壁の前記内面または前記側壁の内面と接続された断熱層であって、
前記モジュール内の結露を防止するように構成された前記断熱層をさらに備える、
条項７〜１０のいずれか１項に記載のシステム。
【００４５】
条項１２．
前記モジュールの前記排気面から突出する複数のフードであって、前記複数のフードのそれぞれのフードが、前記排気面から離れるように下方に傾斜した勾配上面であって、前記モジュール上に落ちる雨または塵を前記排気面から離れるように誘導するように構成された勾配上面を有し、前記複数のフードの上部フードが前記排気面に向かって流れる空気流を前記モジュールの上方に上向きに誘導するように構成された、前記複数のフードをさらに備える、
条項７〜１１のいずれか１項に記載のシステム。
【００４６】
条項１３．
前記モジュールを含む複数の前記モジュールと、
前記ボイドを含む複数の前記ボイドであって、
前記ボイドが列をなして配置され、
列のうちの近接する列内のボイドに取り付けられた、前記モジュールのうちの第１のモジュール及び第２のモジュールが、互いに対向するそれぞれの排気面を有するように、前記モジュールのそれぞれが前記ボイドのそれぞれと流体連通している、前記複数の前記ボイドと、
をさらに備える、
条項７〜１２のいずれか１項に記載のシステム。
【００４７】
条項１４．
前記複数のボイドが第１の列、第２の列、及び第３の列をなして配置され、
前記第３の列内の各モジュールが、前記第３の列内の前記モジュールのそれぞれの排気
面が前記第１の列のそれぞれのモジュールの前記排気面に対向するように方向づけられている、条項１３に記載のシステム。
【００４８】
条項１５．
前記モジュールを含む複数の前記モジュールと、
前記ボイドを含む複数の前記ボイドであって、
前記ボイドが湾曲構成で配置され、
前記モジュールのそれぞれが前記ボイドのそれぞれと流体連通しており、
前記モジュールのそれぞれの排気面が前記湾曲構成の内部のほうを向くように、前記モジュールのそれぞれが方向づけられている、前記複数の前記ボイドと、をさらに含む、条項７〜１４のいずれか１項に記載のシステム。
【００４９】
条項１６．
第１のモジュール及び第２のモジュールを建築物の屋根と連結することであって、
前記モジュールの一側面上において略垂直構成であり、排気口を有する排気面と、
前記モジュールの底部において略水平構成であり、前記屋根内の複数のボイドのそれぞれのボイドに位置整合するように構成された吸気口を備える吸気面と、
前記排気面と前記吸気面との間の導管であって、前記排気面と対向すると共に前記排気面及び前記吸気面と接続された勾配面であって、前記吸気面から流入する暖気流を前記排気面に誘導するように構成された前記勾配面を備える前記導管と、を前記第１のモジュール及び前記第２のモジュールのそれぞれが備え、
前記第１のモジュールが前記屋根内の第１のボイドと位置整合するように、前記第１のモジュールが前記屋根に連結され、
前記第２のモジュールが前記屋根内の第２のボイドと位置整合するように、前記第２のモジュールが前記屋根に連結される、前記連結することを含む方法であって、
前記第１のモジュールの前記排気面が、前記第２のモジュールの前記排気面に対向し、かつ十分な第１の離隔距離によって前記第２のモジュールから離間していることによって、前記第１のモジュールから前記第２のモジュールへと前記第１のモジュール及び前記第２のモジュールを渡って流れる周囲空気が、前記２つの排気面の間でベンチュリ効果を生み出して、前記第１のボイド及び第２のボイドを通じた、また前記第１のモジュール及び前記第２のモジュールを通じて前記建築物外への前記建築物からの前記暖気の引込みを促進する、
方法。
【００５０】
条項１７．
前記第１のモジュールを前記屋根と連結することが、前記第１のモジュールの前記排気面と対向する前記第１のモジュールの勾配面が外部空気流のほうを向くように、前記第１のモジュールを方向づけることをさらに含み、
前記第２のモジュールを前記屋根と連結することが、前記第２のモジュールの前記排気面が前記第１のモジュールの前記排気面に対向するように、前記第２のモジュールを方向づけることをさらに含む、
条項１６に記載の方法。
【００５１】
条項１８．
前記第１のモジュールと同じように方向づけられた第１の複数のモジュールであって、前記第１のモジュールに対して平行に横並びで配置された第１の複数のモジュールを前記屋根内の第１の複数のボイドと連結することと、
前記第２のモジュールと同じように方向づけられた第２の複数のモジュールであって、前記第２のモジュールに対して平行に横並びで配置された第２の複数のモジュールを前記屋根内の第２の複数のボイドと連結することと、
をさらに含む、条項１７に記載の方法。
【００５２】
条項１９．
前記第１の複数のモジュールの隣接するモジュール間で第１の複数のパネルを連結することと、
前記第２の複数のモジュールの隣接するモジュール間で第２の複数のパネルを連結することと、
をさらに含み、
環境空気流からの空気流が前記第１の複数のモジュール及び前記第２の複数のモジュールからの前記暖気流の一部を巻き込むように、前記第１の複数のパネル及び前記第２の複数のパネルが、前記環境空気流からの前記空気流を前記第１の複数のモジュールに沿って前記第１の複数のモジュールの上方に、また、前記第２の複数のモジュールに沿って下方に誘導するように配置される、
条項１８に記載の方法。
【００５３】
条項２０．
前記第１のボイドの周囲の前記屋根の隆起形状物である第１の枠及び、前記第２のボイドの周囲の前記屋根の隆起形状物である第２の枠を建設することをさらに含み、
前記第１のモジュールを前記屋根と連結することが、前記第１のモジュールの第１の基盤を前記第１の枠と連結することをさらに含み、
前記第２のモジュールを前記屋根と連結することが、前記第２のモジュールの第２の基盤を前記第２の枠と連結することをさらに含む、
条項１６〜１９のいずれか１項に記載の方法。
【００５４】
他の変形は、本開示の趣旨内にある。したがって、開示された技術は多様な修正形態及び代替構成の影響を受けやすいが、その特定の示される実施形態は図面に示され、上記に詳細に説明されている。しかしながら、本開示を開示された特定の１つ以上の形態に限定する意図はなく、逆に意図は、添付の特許請求の範囲によって定義される本開示の趣旨及び範囲に入るすべての修正形態、代替的な構成、及び均等物を包含することであることが理解されるべきである。
【００５５】
開示される実施形態を説明する文脈における（特に以下の特許請求の範囲の文脈における）用語「ａ」、「ａｎ」、及び「ｔｈｅ」ならびに同様の指示語の使用は、本明細書において別段の指示がない限り、または文脈に明らかに矛盾するものでない限り、単数及び複数の双方を網羅すると解釈される。用語「ｃｏｍｐｒｉｓｉｎｇ（備える）」、「ｈａｖｉｎｇ（有する）」「ｉｎｃｌｕｄｉｎｇ（含む）」及び「ｃｏｎｔａｉｎｉｎｇ（含む）」は、特に断りのない限り、オープンエンド用語（すなわち「を含むが、これらに限定されるものではない」を意味する）として解釈されるべきである。用語「ｃｏｎｎｅｃｔｅｄ（接続された）」は、たとえ介在するものがあっても部分的にまたは完全に、中に含まれる、取り付けられる、また互いに結合されるとして解釈されるべきである。本明細書での値の範囲の列挙は、本明細書に別段の指示がない限り、単に、範囲内に入るそれぞれの別個の値に個別に言及する短縮方法としての役割を果たすことが意図され、各個別の値は、それが個別に本明細書に記載されているかのように本明細書に組み込まれる。本明細書に記載されるすべての方法は、本明細書で別段の指示がない限り、または文脈に明らかに矛盾するものでない限り、任意の適切な順序で実行できる。本明細書で示される任意の及びすべての例、または例示的な言語（例えば、「〜など」）は、単に本開示の実施形態をよりよく示すことを意図しており、別段の主張がない限り、本開示の範囲を限定するものではない。本明細書のいかなる言葉も、本開示の実施にとって必須として任意の請求されていない要素を示すものと解釈されるべきではない。
【００５６】
特に断りのない限り、句「Ｘ、Ｙ、またはＺの少なくとも１つ」のような選言的な言葉は、項目、用語等がＸ、Ｙ、もしくはＺまたはそのいずれかの組合せ（例えば、Ｘ、Ｙ、及び／またはＺ）であってよいことを示すために一般的に用いられるとして文脈の中で理解されることが意図される。したがって、係る選言的言語は、特定の実施形態がＸの少なくとも１つ、Ｙの少なくとも１つ、及びＺの少なくとも１つがそれぞれ存在することを必要とすることを暗示することを概して意図しておらず、意味するべきではない。
【００５７】
発明を実施するために発明者に知られている最良の形態を含む本開示の様々な実施形態が本明細書に説明される。これらの好ましい実施形態の変形形態は、前述の説明を読むと当業者に明らかになり得る。本発明者らは、当業者がこのような変形形態を必要に応じて利用することを期待し、本発明者らは本開示が本明細書に具体的に記載されたものとは別の方法で実施されることを意図する。したがって、本発明は、適用法によって許容されるように、本明細書に添付された特許請求の範囲に記載された主題のすべての修正形態及び均等物を含む。さらに、本明細書に別段の指示がない限り、または文脈に明らかに矛盾するものでない限り、上述要素のすべての考え得る変形形態での上記要素の任意の組合せが本発明に包含される。
【図１】
2020053057.tif 000003
【図２】
2020053057.tif 000004
【図３】
2020053057.tif 000005
【図４】
2020053057.tif 000006
【図５】
2020053057.tif 000007
【図６】
2020053057.tif 000008
【図７】
2020053057.tif 000009
【図８】
2020053057.tif 000010
【図９】
2020053057.tif 000011
【図１０】
2020053057.tif 000012
【図１１】
2020053057.tif 000013
【図１２】
2020053057.tif 000014
【図１３】
2020053057.tif 000015
【図１４】
2020053057.tif 000016
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
建築物と、
前記建築物の上部の屋根と、
前記屋根を通るボイドと、
前記屋根に取り付けられるモジュールと、を備え、
前記モジュールは、
前記モジュールの第１の側面上に実質的に垂直に構成され、排気口を有する排気面であって、前記排気口は前記排気面の垂直方向の高さに実質的にまたがって伸びる、排気面と、
前記モジュールの底部に実質的に水平に構成され、前記建築物の前記屋根の前記ボイドに位置整合するように構成された吸気口を備える吸気面と、
前記排気面と対向し前記排気面及び前記吸気面と接続された勾配面であって、前記吸気面から流入する空気を前記排気面に誘導するように構成された前記勾配面を備え、前記勾配面は下方から上方に向けて直線で且つ前記排気面の前記垂直方向の高さに実質的にまたがって伸びる、前記排気面と前記吸気面との間の導管と、を備え、
前記モジュールは前記屋根のボイドと流体連通しており、前記ボイド及び前記モジュールを通じて、排気流の暖気が前記建築物外にパッシブに流出するように構成される、システム。
【請求項２】
建築物と、
前記建築物の上部の屋根と、
前記屋根を通るボイドと、
前記屋根に取り付けられるモジュールと、を備え、
前記モジュールは、
前記モジュールの第１の側面上に実質的に垂直に構成され、排気口を有する排気面であって、前記排気口は前記排気面の垂直方向の高さに実質的にまたがって伸びる、排気面と、
前記モジュールの底部に実質的に水平に構成され、前記建築物の前記屋根の前記ボイドに位置整合するように構成された吸気口を備える吸気面と、
前記排気面と対向し前記排気面及び前記吸気面と接続しており、前記吸気面から流入する空気を前記排気面に誘導するように構成され、下方から上方に向けて直線で且つ前記排気面の垂直面に実質的に伸びる勾配面を有し、前記吸気面、前記排気面及び前記勾配面は断面上実質的に三角形を構成する、前記排気面と前記吸気面との間の導管と、を備え、
前記モジュールは前記屋根のボイドと流体連通しており、前記ボイド及び前記モジュールを通じて、排気流の暖気が前記建築物外にパッシブに流出するように構成される、システム。
【請求項３】
前記モジュールの前記底部と接続し、前記モジュールの前記吸気面が前記建築物の前記屋根内の前記ボイドと位置整合することにより、水が前記建築物内に進入することを防止し、前記吸気口が前記ボイドと接続するように構成された基盤アセンブリをさらに備える、請求項１又は２に記載のシステム。
【請求項４】
前記導管はさらに側壁を備え、
前記モジュール内部にあり、前記勾配面及び前記側壁と接続し、前記勾配面の内面または前記側壁の内面から流出する結露水を捕らえるように構成された集水器をさらに備える、請求項１又は２に記載のシステム。
【請求項５】
前記モジュールの前記排気面から突出し、前記排気面から下方に傾斜する勾配上面を有し、前記排気面に向かって流れる空気流を前記モジュールの上方向に誘導し、前記モジュール上に落ちる雨または塵を前記排気面から遠ざけるように構成されたフードをさらに備える、請求項１又は２に記載のシステム。
【請求項６】
前記導管は側壁をさらに備え、
前記勾配面の内面または前記側壁の内面と接続し、前記モジュール内の結露を防止するように構成された断熱層を備える、請求項１又は２に記載のシステム。
【請求項７】
前記モジュールの前記排気面から突出する複数のフードをさらに備え、前記フードは前記排気面から下方向に傾斜し前記モジュール上に落ちる雨または塵が前記排気面から離れるように構成された勾配上面を有し、前記複数のフードの上部フードは、前記排気面に向かって流れる空気流を前記モジュールの上方向に誘導するように構成されている、請求項１又は２に記載のシステム。
【請求項８】
前記モジュールを含む前記複数のモジュールと、
前記ボイドを含む複数のボイドと、を備え、
前記ボイドは列をなして配置され、
前記モジュールは前記ボイドの一つと流体連通しており、近接する列内のボイドに取り付けられた、前記モジュールのうちの第１のモジュール及び第２のモジュールは互いに対向する排気面を有する、請求項１又は２に記載のシステム。
【請求項９】
前記複数のボイドは第１の列、第２の列、及び第３の列で配置され、
前記第３の列の前記モジュールの前記排気面は、前記第１の列の前記モジュールの前記排気面に対向するように方向づけられている、請求項８に記載のシステム。
【請求項１０】
前記モジュールを含む前記複数のモジュールと、
前記ボイドを含む前記複数のボイドと、を備え、
前記ボイドは湾曲構成で配置され、
前記モジュールは前記ボイドと流体連通しており、
前記モジュールは、排気面が前記湾曲構成の内部に対向するように方向づけられている、請求項１又は２に記載のシステム。
【請求項１１】
前記排気面は垂直に構成されている、請求項１又は２に記載のシステム。
【請求項１２】
前記排気面は排気方向が一方向に向いた単数の排気面であり、前記モジュールは追加の排気面が構成されていない、請求項１又は２に記載のシステム。
【請求項１３】
前記勾配面は、前記吸気面に最も近く前記排気面から最も離れた位置に配置された第１位置から、前記排気面に最も近く前記吸気面に最も離れた位置に配置された第２位置に向けて上方向に伸びる、請求項１に記載のシステム。
【請求項１４】
前記導管の前記勾配面は下方から上方に向けて直線である、請求項２に記載のシステム。
【請求項１５】
前記モジュールは、前記建築物の建築または内装工事に多大な影響を与えることなく、モジュール式ユニットとして、前記建築物の前記屋根に取り付け可能である、または前記建築物の前記屋根から取り外し可能である、請求項１又は２に記載のシステム。
【請求項１６】
前記モジュールは、環境空気流が前記勾配面から前記モジュールの上方を通過し前記排気口から出る前記排気流の暖気を巻き込むように、前記排気面を前記環境空気流の支配的な方向から離れるように調整する方向に、前記建築物の前記屋根に取り付けられる、請求項１又は２に記載のシステム。
【外国語明細書】
2020053057000001.pdf